(57)【要約】【課題】物理的に装着できない仕様の異なるレンズをカメラに装着しようとしてカメラまたは交換レンズが損傷してしまうことを未然に防ぐことができるカメラの提供。【解決手段】交換レンズは、情報を読み書き可能なメモリを有する非接触ＩＣタグを備え、前記メモリにはレンズ関連情報が記録されており、カメラは、交換レンズが備える非接触ＩＣタグから前記レンズ関連情報を取得する取得手段と、取得したレンズ関連情報に基づいて該交換レンズがカメラに装着可能か否かを判定する判定手段と、カメラと交換レンズを装着可能状態と装着不可能状態とにすることが可能な規制部材と、前記判定段により装着不可能と判断された場合には前記規制部材を動作させてカメラと交換レンズの装着を不可能とする制御手段とを有する。【選択図】図１
2006067332.tif 000002
【特許請求の範囲】
【請求項１】
交換レンズが着脱可能に構成され、被写体像を電気的に撮像可能なカメラにおいて、
交換レンズが備える非接触ＩＣタグからレンズ関連情報を取得する取得手段と、取得したレンズ関連情報に基づいて、交換レンズがカメラに装着可能か否かを判定する判定手段と、カメラと交換レンズを装着可能状態と装着不可能状態とにすることが可能な規制部材と、前記判定段により装着不可能と判断された場合には前記規制部材を動作させてカメラと交換レンズの装着を不可能とする制御手段とを有することを特徴とするカメラ。
【請求項２】
前記レンズ関連情報は、レンズ機種情報、レンズのイメージサークル情報、装着可能カメラ機種情報の何れか１つ又は複数であることを特徴とする請求項１記載のカメラ。
【請求項３】
着脱可能に構成された交換レンズと、前記交換レンズが着脱可能に構成され、被写体像を電気的に撮像可能なカメラボディから成るカメラシステムにおいて、
交換レンズは、情報を読み書き可能なメモリを有する非接触ＩＣタグを備え、前記メモリにはレンズ関連情報が記録されており、カメラは、交換レンズが備える非接触ＩＣタグから前記レンズ関連情報を取得する取得手段と、取得したレンズ関連情報に基づいて該交換レンズがカメラに装着可能か否かを判定する判定手段と、カメラと交換レンズを装着可能状態と装着不可能状態とにすることが可能な規制部材と、前記判定段により装着不可能と判断された場合には前記規制部材を動作させてカメラと交換レンズの装着を不可能とする制御手段とを有することを特徴とするカメラシステム。
【請求項４】
前記レンズ関連情報は、レンズ機種情報、レンズのイメージサークル情報、装着可能カメラ機種情報の何れか１つ又は複数であることを特徴とする請求項３記載のカメラシステム。
【発明の詳細な説明】
【技術分野】
【０００１】
本発明は、カメラ及びカメラシステムに関するものである。
【背景技術】
【０００２】
近年、半導体や画像処理技術の進歩に伴い、銀塩フィルムを用いる銀塩フィルムカメラに代わって、デジタルカメラが普及の途にある。このデジタルカメラは、基本的には、撮影レンズからの光学像をＣＣＤ（Ｃｈａｒｇｅ  Ｃｏｕｐｌｅｄ  Ｄｅｖｉｃｅ）等の撮像素子で光電変換し、その出力を画像処理し画像データをメモリカード等の記録媒体に記憶させるようにしたものである。このようなデジタルカメラでは、撮影レンズは固定式のものが多いが、一方でレンズ交換可能に構成してシステム化し、状況に応じて様々な焦点距離のレンズを自由に組み合わせて用いるようにするカメラシステムも普及してきている。
【０００３】
レンズ交換式のカメラシステムにすると、状況に応じて様々な焦点距離のレンズを自由に組み合わせて用いることができるので、ユーザーメリットが高く、しかも、銀塩一眼レフカメラ用のレンズを使用できる場合には、銀塩一眼レフカメラにおける資産をそのまま有効活用できる利点がある。
【０００４】
ここで、レンズ交換式一眼レフデジタルカメラシステムの一例として、様々なイメージサイズのカメラが存在するシステムを考えてみる。現在、存在するセンサーサイズの一例としては、サイズの大きい順にフルサイズ（２４×３６ｍｍ）、ＡＰＳ−Ｈサイズ（２８．７×１９．１ｍｍ）、ＡＰＳ−Ｃサイズ（２２．７×１５．１ｍｍ）等がある。これに組み合わせるレンズは銀塩一眼レフカメラ用のレンズである場合が多く、この場合、レンズのイメージサークルは  フルサイズをカバーしているため、前記何れのイメージサイズのカメラと組み合わせても、撮影画像は周辺部がけられることなく正常な画像となる。
【０００５】
【特許文献１】特開２００２−１１２０９５号公報
【発明の開示】
【発明が解決しようとする課題】
【０００６】
最近では、イメージサークルがフルサイズより小さなサークルに特化したデジタルカメラ専用レンズなるものも登場してきている。一例とするレンズはＡＰＳ−Ｃサイズに特化したレンズ構成とするためにレンズのバックフォーカスが従来の銀塩カメラ用レンズよりも更に短くなっており、このレンズが装着可能に構成されているカメラにしか装着することはできない。このレンズを従来の非対応カメラに装着しようとするとレンズマウント部の一部がカメラボディのメカ部材と干渉する。
【０００７】
上記問題に対しては、レンズ側に専用レンズであることを示すロゴや指標等を取り付けて使用者に注意を促している。しかしながら、例えば暗い場所でのレンズ交換等で、使用者が気付かずに装着しようとしてしまう場合や、無理やり装着しようとしてしまう場合には、メカ部材が干渉したままレンズをカメラボディに装着することになり、カメラボディや交換レンズが損傷してしまう可能性があった。
【０００８】
又、もう１つの例としてカメラに装着してもレンズのメカ部材が干渉しない従来の銀塩カメラ用レンズと同様な構成のＡＰＳ−Ｃサイズのイメージサークルを有するレンズの場合には、従来のカメラに装着することが可能である。しかしながら、カメラのイメージサイズに対してより小さなイメージサークルを持つレンズが装着された状態で撮影を行うと、周辺部がけられて何も写っていない画像となってしまい、使用者は撮影してから初めて気づく可能性があった。
【０００９】
本発明の第１の目的は、物理的に装着できない仕様の異なるレンズをカメラに装着しようとしてカメラ又は交換レンズが損傷してしまうことを未然に防いだり、カメラとレンズのイメージサイズの不整合により、周辺部がけられた画像が撮影されてしまうことを未然に防ぐことが可能なカメラを提供することにある。
【００１０】
本発明の第２の目的は、物理的に装着できない仕様の異なるレンズをカメラに装着しようとしてカメラ又は交換レンズが損傷してしまうことを未然に防いだり、カメラとレンズのイメージサイズの不整合により、周辺部がけられた画像が撮影されてしまうことを未然に防ぐことが可能なカメラシステムを提供することにある。
【課題を解決するための手段】
【００１１】
上記第１の目的を達成するため、請求項１及び２記載の本発明は、交換レンズが着脱可能に構成され、被写体像を電気的に撮像可能なカメラにおいて、交換レンズが備える非接触ＩＣタグからレンズ関連情報を取得する取得手段と、取得したレンズ関連情報に基づいて、交換レンズがカメラに装着可能か否かを判定する判定手段と、カメラと交換レンズを装着可能状態と装着不可能状態とにすることが可能な規制部材と、前記判定段により装着不可能と判断された場合には前記規制部材を動作させてカメラと交換レンズの装着を不可能とする制御手段とを有することを特徴とするものである。
【００１２】
又、前記第２の目的を達成するため、請求項３及び４記載の本発明は、着脱可能に構成された交換レンズと、前記交換レンズが着脱可能に構成され、被写体像を電気的に撮像可能なカメラボディから成るカメラシステムにおいて、交換レンズは、情報を読み書き可能なメモリを有する非接触ＩＣタグを備え、前記メモリにはレンズ関連情報が記録されており、カメラは、交換レンズが備える非接触ＩＣタグから前記レンズ関連情報を取得する取得手段と、取得したレンズ関連情報に基づいて該交換レンズがカメラに装着可能か否かを判定する判定手段と、カメラと交換レンズを装着可能状態と装着不可能状態とにすることが可能な規制部材と、前記判定段により装着不可能と判断された場合には前記規制部材を動作させてカメラと交換レンズの装着を不可能とする制御手段とを有することを特徴とするものである。
【発明の効果】
【００１３】
請求項１及び２記載の発明によれば、物理的に装着できない仕様の異なるレンズをカメラに装着しようとしてカメラ又は交換レンズが損傷してしまうことを未然に防いだり、カメラとレンズのイメージサイズの不整合により、周辺部がけられた画像が撮影されてしまうことを未然に防ぐことが可能なカメラを提供することができる。
【００１４】
又、請求項３及び４記載の発明によれば、物理的に装着できない仕様の異なるレンズをカメラに装着しようとしてカメラ又は交換レンズが損傷してしまうことを未然に防いだり、カメラとレンズのイメージサイズの不整合により、周辺部がけられた画像が撮影されてしまうことを未然に防ぐことが可能なカメラシステムを提供することができる。
【発明を実施するための最良の形態】
【００１５】
以下に本発明の実施の形態を添付図面に基づいて説明する。
【００１６】
＜実施の形態１．
図１には、本発明の実施の形態１であるレンズ交換式のデジタルカメラシステムの構成を示している。本カメラシステムは、撮影レンズ５１０とデジタルカメラ５４０とから構成されている。撮影レンズ５１０は、カメラ５４０に対して着脱可能なズームレンズである。本実施形態の撮影レンズ５１０において、被写体像を結像させるための撮影光学系は、４群のレンズ５１１，５１２，５１３，５１４により構成されている。レンズ５１２は変倍のためのレンズであり、レンズ５１３はフォーカシングのためのレンズである。
【００１７】
又、撮影光学系内には、絞りユニット５１５が配置されている。図示しない被写体からの光束は、レンズ５１１，５１２、絞りユニット５１５、レンズ５１３，５１４を介してカメラ５４０内の可動ミラー５４１に導かれる。又、撮影レンズ５１０内には、レンズ５１２，５１３の位置及び絞りユニット５１５の絞り状態を検出するためのズームエンコーダ５１７、フォーカスエンコーダ５１８及び絞りエンコーダ５２０が設けられており、レンズ制御回路５２１に接続されている。
【００１８】
レンズ制御回路５２１には、ズームモータ５２５を駆動するズーム駆動回路５２４、フォーカスモータ５２７を駆動するフォーカス駆動回路５２６及び絞りモータ５２９を駆動する絞り駆動回路５２８が接続されており、各駆動回路はレンズ制御回路５２１からの制御信号に応じて動作する。又、レンズ制御回路５２１には、レンズスイッチ入力回路５３０と、不揮発性メモリ（ＥＥＰＲＯＭ）５３１が接続されている。更に、レンズ制御回路５２１には、通信ライン５３２及び通信コンタクト５３３を介してカメラ５４０との通信を行う通信コントローラ５２１ａが設けられている。レンズ制御回路２１は、ズーム駆動回路５２４を介してズームモータ５２５を制御し、レンズ５１２を駆動させる。このレンズ５１２の初期位置や停止位置は、レンズ５１２の移動に応じてズームエンコーダ５１７から出力されるパルス信号をカウントすることによって検知する。そして、検知した位置情報を用いてズームモータ２５をフィードバック制御する。
【００１９】
又、レンズ制御回路５２１は、フォーカス駆動回路５２６を介してフォーカスモータ５２７を制御し、レンズ５１３を駆動させる。このレンズ５１３の初期位置や停止位置は、レンズ５１３の移動に応じてフォーカスエンコーダ５１８から出力されるパルス信号をカウントすることによって検知する。そして、検知した位置情報を用いてフォーカスモータ２７をフィードバック制御する。更に、レンズ制御回路５２１は、絞り駆動回路５２８を介して絞りユニット５１５の動作を制御する。絞りユニット５１５の初期状態や絞り位置は、絞りユニット５１５の動作状態に応じて絞りエンコーダ５２０から出力されるパルス信号をカウントすることによって検知する。そして、検知した動作状態情報を用いて絞りモータ５２９をフィードバック制御する。
【００２０】
このようにして、レンズ制御回路２１は、ズームエンコーダ５１７、フォーカスエンコーダ５１８及び絞りエンコーダ５２０の出力に基いて、ズーム駆動回路５２４、フォーカス駆動回路５２６及び絞り駆動回路５２８を統括制御するとともに、統括制御に必要な様々な演算等の処理を行う。又、レンズ制御回路５２１は、通信コントローラ５２１ａ、通信ライン５３２及び通信コンタクト５３３を介してカメラ５４０と随時通信を行い、撮影レンズ５１０内の各回路の制御に反映させるとともに、撮影レンズ５１０の状態を表す情報をカメラ５４０に送信する。
【００２１】
又、不揮発性メモリ５３１には、合焦制御に必要な光学特性に関する情報やその他の情報が記憶されている。又、撮影レンズ５１０の状態を表す情報とは、各種レンズスイッチの状態や上記各エンコーダを通じて得られるレンズ位置や絞り状態等の情報である。レンズスイッチ入力回路５３０は、撮影レンズ５１０に設けられたスイッチ（図示せず）の状態をレンズ制御回路５２１に伝達する。
【００２２】
本実施の形態では、撮影レンズ５１０に設けられたスイッチとして、ズーム状態をテレ、ミドルおよびワイドに設定するためのズーム選択スイッチを有しており、撮影者によってズーム選択スイッチが操作された場合には、レンズ制御回路２１は、レンズスイッチ入力回路５３０を介して該操作を検出し、選択されたズーム状態となるようにズーム駆動回路５２４を介してズームモータ５２５を制御し、レンズ５１２を移動させる。又、５８０は非接触ICタグである。５８０は装着されるカメラ側に近い場所に位置する。非接触ＩＣタグ内には不揮発性のメモリがあり、メモリ内にはレンズ機種情報、又はレンズのイメージサークル情報、又はこのレンズに装着可能なカメラ機種の情報が記録されている。
【００２３】
次に、カメラ５４０側の構成について説明する。
【００２４】
撮影レンズ５１０を通過した被写体光は、ほぼ中央部分がハーフミラーとなっている可動ミラー５４１に入射する。この可動ミラー５４１の中央背面側には、可動ミラー５４１を透過した光束を反射するサブミラー５４２が設けられている。サブミラー５４２で下方に反射した光束は、セパレータ光学系５４３により２つの光束に分離され、一対のＣＣＤラインセンサ５４４上に２像が結像する。尚、セパレータ光学系５４３及びＣＣＤラインセンサ５４４により、撮影光学系の焦点調節状態の検出（焦点検出）を行うための焦点検出ユニットが構成される。
【００２５】
ＣＣＤラインセンサ５４４で光電変換され、出力された信号は、焦点検出回路５５７に入力され、焦点検出回路５５７は一対のＣＣＤラインセンサ５４４上に結像した２像の位相差を検出し、検出結果をカメラ制御回路５５５に入力する。カメラ制御回路５５５は、入力された位相差を表す信号に基づいて撮影光学系のピントずれ量（デフォーカス量）を算出する。即ち、位相差検出方式による焦点検出を行う。そして、カメラ制御回路５５５は、カメラ制御回路５５５内に設けられた通信コントローラ５５５ａ、通信ライン５６５及び通信コンタクト５６６を介して、算出したデフォーカス量を表す情報をレンズ制御回路５２１に送信する。
【００２６】
レンズ制御回路５２１では、受信したデフォーカス量の情報に基づいて、合焦を得るのに必要なレンズ５１３（つまりはフォーカスモータ５２７）の駆動量を求め、該駆動量分、フォーカスモータ５２７を駆動する。これにより、自動合焦制御が行われる。
【００２７】
一方、可動ミラー５４１による被写体光束の反射光路上には、ファインダー光学系を構成する焦点板５４６、ペンタプリズム５４７及び接眼光学系５４８が配置されている。又、可動ミラー５４１の後方には、シャッタ５５０、光学ローパスフィルタ５５１及び撮像素子５５２が配置されている。撮像素子５５２は、ＣＣＤやＣＭＯＳセンサ等により構成されており、受光面上に結像した被写体像を光電変換し画像信号を出力する。撮像素子５５２のサイズは必ず一定サイズとは限らずカメラによってイメージサイズが異なる。この撮像素子５５２は、カメラ制御回路５５５から撮像指令を受けた画像処理回路５６２によって駆動制御される。
【００２８】
可動ミラー５４１が上動してシャッタ５５０が開くと、撮像素子５５２上に被写体像が結像し、撮像素子５５２における電荷の蓄積が開始される。そして、電荷蓄積が終了すると、シャッタ５５０が閉じる。カメラ制御回路５５５には、ミラー駆動回路５６、ラインセンサ駆動回路５５７、焦点検出回路５６９、シャッタ駆動回路５５８、測光センサ駆動回路５５９、画像処理回路５６２およびストロボ回路５６３が接続されており、これら全ての回路の動作の制御を司る。
【００２９】
又、カメラ制御回路５５５には、シャッタ検知回路５６１及びスイッチ入力回路５６４が接続されている。ミラー駆動回路５５６は、可動ミラー５４１を撮影光路に対して進退させるよう駆動する。可動ミラー５４１が撮影光路中にある場合は、被写体光束がファインダー光学系に導かれ、可動ミラー５４１が撮影光路から退避した場合は、被写体光束が撮像素子５５２に導かれる。ラインセンサ駆動回路５５７は、ラインセンサ５４４を駆動する。シャッタ駆動回路５５８は、撮像素子５５２の受光量を制御するためのシャッタ５５０を駆動する。
【００３０】
更に、ペンタプリズム５４７および接眼光学系５４８の上方近傍には、被写体の輝度を測光する測光センサ５６０が設けられている。測光センサ５６０は、測光センサ駆動回路５５９により駆動される。測光センサ５６０からの出力はカメラ制御回路５５５に入力され、カメラ制御回路５５は入力された信号に基づいて被写体光の輝度を算出する。シャッタ検知回路５６１は、シャッタ５５０の開閉状態を検知する。画像処理回路５６２は、撮像素子５２から出力された画像信号（アナログ信号）をデジタル信号に変換し、画像補正処理を行う。補正処理が行われた画像信号に対応する画像は、カメラ５４０に着脱可能に装着された不図示の記録媒体（半導体メモリ、磁気ディスク、光ディスク等）に記録される。ストロボ回路６３は、被写体を照明するための不図示の発光部を駆動する。
【００３１】
又、スイッチ入力回路６４は、カメラ４０に設けられた各種操作スイッチの状態を検出して、検出信号をカメラ制御回路５５に入力する。カメラ５４０側の操作スイッチとしては、レリーズスイッチがある。このレリーズスイッチは、１段階の押し下げ操作によって、後述する撮像準備動作シーケンスを開始させるＳＷ１ＯＮ信号を出力し、更にもう１段階の押し下げ操作によって、後述する撮像シーケンスを開始させるＳＷ２ＯＮ信号を出力する。又、カメラ５４０側の操作スイッチとして、モードスイッチがあり、このモードスイッチの操作によって（操作回数に応じて）、カメラ制御回路５５５は撮像モード（絞り優先モード、シャッタースピード優先モード、プログラムモード等）を設定する。
【００３２】
又、カメラ５４０には、電源５６８が設けられている。この電源５６８は、カメラ５４０内の各回路に電力を供給するとともに、通信コンタクト５６６を介して撮影レンズ５１０に対しても電力を供給する。又、５８１は非接触ＩＣタグ５８０のリーダライタである。５８２はカメラシャッタースピードや絞り値や撮影モード等の各種情報を表示する表示部である。５８３はレンズを装着可能状態にしたり装着不可能状態に規制することが可能な規制部材、５８４は規制部材８３を動作させる駆動回路である。ここで、レンズを装着不可能な状態にする規制部材５８３は、例えば図７に示すようなレバー状の部材であり、装着可能状態の時はカメラ内に収納されているが、装着不可能状態にする時はレバーが収納状態から突出して、カメラをレンズに装着するのを妨げる。
【００３３】
次に、レンズ側に搭載された非接触ＩＣタグ５８０の構成について図２（ａ），（ｂ）に基づいて説明する。
【００３４】
アンテナコイル１２は、リーダライタ５８１のコイルに非接触に電磁結合されて、任意の周波数帯のキャリア周波数ｆｃ（例えば、１３．５６ＭＨｚ）を有する電波Ｗによりリーダライタ５８１と交信する。アンテナコイル１２は、必要があればサブキャリア周波数を併用しても良い。アンテナコイル１２は、例えば図２（ａ）に示すように、ＩＣチップ２０を取り囲むように形成されている。上から見た場合にアンテナコイル１４の形状は円形、四角形、楕円形等の所望の形状を有することができる。
【００３５】
アンテナコイル１２は、ＩＣチップ２０の接続端子２１にワイヤボンディング方式やＴＡＢ（Ｔａｐｅ  Ａｕｔｏｍａｔｅｄ  Ｂｏｎｄｉｎｇ）方式等によって電気的に接続されている。アンテナコイル１２とリーダライタ５８１との通信距離は、例えば数ｃｍ〜数１０ｃｍである。アンテナコイル１２は、銅やアルミニウム等を使用したエッチング、プリント配線方式による印刷、ワイヤによる形成等の当業界で周知な何れの方法によっても形成することができる。
【００３６】
アンテナコイル１２は、実装面積、その他の条件に応じて所望の寸法、形状、自己インダクタンス、相互インダクタンスを有する。本発明は、アンテナコイル１２の代わりに、ダイポールアンテナ、モノポールアンテナ、ループアンテナ、スロットアンテナ、マイクロストリップアンテナ等の当業界で周知のアンテナを適用することを妨げるものではない。又、アンテナコイル１２をＩＣチップ２０上に微細加工法により形成した、コイルオンチップ型とすることにより低コスト化、小型化が可能となる。
【００３７】
図２（ｂ）を参照するに、アンテナコイル１２は、好ましくは、共振用コンデンサ１４に接続されている。コンデンサ１４は、静電容量Ｃを有し、アンテナコイル１２のインダクタンスＬと協同して、送受信用電波のキャリア周波数ｆｃに共振する共振回路を形成するのに使用される。コイル１２とコンデンサ１４が形成する共振周波数ｆｒはｆｒ＝（１／２  ）（ＬＣ）−１／２となるから、これをキャリア周波数ｆｃに一致させればコイル１２及びコンデンサ１４に大きな共振電流を流すことができ、斯かる共振電流をＩＣチップ２０に供給することができる。コンデンサ１４の位置は、以下に説明するＩＣチップ２０の各コンポーネントと同一平面に（即ち、単層的に）形成されても良く、その上に（即ち、多層的に）形成されても良い。
【００３８】
図２（ａ），（ｂ）に示すように、ＩＣチップ２０は、電源回路２２と、リセット信号発生回路２３と、送受信回路２４と、ロジック制御回路２６と、タイミング回路（ＴＩＭ）２８と、メモリ３０とを有し、リーダライタ５８１と交信して、メモリ３０の読み出し及び書き込みを行う。電源回路（ＰＳ）にはリセット信号発生回路２３が接続されており、リセット信号発生回路２３はロジック制御回路２６のリセット端子（ＲＳＴ）に接続されている。ＩＣチップ２０は、リーダライタ５８１から受信した電波Ｗ（キャリア周波数ｆｃ）から電磁誘導によって通信系の動作電圧Ｖｃｃ（例えば、５Ｖ）を各ロジックに供給している。
【００３９】
動作電力Ｖｃｃが生成されると、リセット信号発生回路２３は、ロジック制御回路２６をリセットして新規な動作の準備をする。送受信回路２４は、検波器（ＤＥＴ）２４ａ、変調器（ＭＯＤ）２４ｂ、復調器（ＤＥＭ）２４ｃ及び符号器（ＥＮＣ）２４ｄを含んでいる。復調器２４ｃと符号器２４ｄは、それぞれロジック制御回路２６のデータ端子ＤＩ及びＤＯに接続されている。タイミング回路２８は、各種タイミング信号を生成するのに使用され、ロジック制御回路２６のクロック端子（ＣＬＫ）に接続されている。送受信回路２４の受信部は、検波器２４ａと復調器２４ｃとにより構成されている。
【００４０】
受信した電波Ｗは、検波器２４ａによって検波されて復調器２４ｃが検波信号からデータを得るために基底帯域信号を復元する。復元された基底帯域信号（必要があればその後復号された信号）は、データ信号ＤＩとしてロジック制御回路２６に送られる。送受信回路２４の送信部は、変調器２４ｂと符号器２４ｄとにより構成されている。変調器２４ｂや符号器２４ｄには当業界で周知の如何なる構成をも使用することができる。データを送信するために搬送波を送信データに応じて変化させてコイル１２に送信する。変調方式には、例えば、キャリア（搬送）周波数の振幅を変えるＡＳＫ、位相を変えるＰＳＫ等を使用することができるが、負荷変調を使用することもできる。負荷変調とは、媒体電力（負荷）を送信信号に従って変調する方式を言う。
【００４１】
符号器２４ｄは、送信されるべきデータＤＯを所定の符号（例えば、マンチェスター符号化やＰＳＫ符号化等）で符号化（ビットエンコーディング）した後にアンテナコイル１２に送信する。送受信回路２４は、ロジック制御回路２６によって制御されて、タイミング回路２８によって生成されるタイミング信号（クロック）に同期して動作する。ロジック制御回路２６は、ＣＰＵにより実現することができる。
【００４２】
メモリ３０は、各種データを保存するＲＯＭ、ＲＡＭ、ＥＥＰＲＯＭ及び／又はＦＲＡＭ等から構成される。メモリ３０は書換え可能型メモリとして構成されて、ロジック制御回路２６がソフトウェア的にリーダライタ５８１からのアクセスを制御する。
【００４３】
次に、カメラ側に搭載された非接触ＩＣタグ５８０のリーダライタ５８１の構成を図３に基づいて説明する。
【００４４】
リーダライタ５８１は、図３に示すように、制御インターフェース部２１０とアンテナ部２２０とを有しており、両者はケーブル２３０により接続されている。リーダライタ５８１は、所定のキャリア周波数ｆｃを有する電波Ｗを非接触ＩＣタグ５８０へ送信及び受信し、無線通信を利用して非接触Ｉｃタグ５８０と交信する。尚、上述したように電波Ｗは任意の周波数帯のキャリア周波数ｆｃ（例えば、１３．５６ＭＨｚ）を使用することができる。必要があればサブキャリア周波数を併用しても良い。リーダライタ５８１は、制御インターフェース部２１０を介して通信ライン２５０によりカメラ制御回路５５５に接続されている。
【００４５】
制御インターフェース部２１０は、送信回路（変調回路）２１２と、受信回路（復調回路）２１４と、コントローラ２１６とを内蔵している。送信回路２１２は、本体２５０からのデータを、例えば、キャリア周波数の振幅を変えることにより（ＡＳＫ変調方式）、伝送信号に変換してアンテナ部２２０に送信する。又、受信回路２１４はアンテナ部２２０を通じて非接触情報媒体１から受信した信号を基底帯域信号に変換してデータを得てカメラ制御回路５５５に送信する。
【００４６】
次に、カメラにレンズを装着しようとしたときのカメラ側の動作について図４のフローチャートに基づいて説明する。
【００４７】
ここで、カメラに装着するレンズは図５（ａ），（ｂ）に示す２通りの場合を想定し、カメラは図６（ａ），（ｂ）の場合を想定する。尚、図５及び図６におけるレンズとカメラはそれぞれ側面からから見た図となっている。図５（ａ）は従来の銀塩カメラ用のレンズ（レンズＡとする）であり、図５（ｂ）はＡＰＳ−Ｃサイズのイメージサークルを有する専用レンズ（レンズＢとする）である。両者はイメージサークルとレンズのバックフォカースが異なり、図５（ｂ）の方がレンズの一部がカメラ側に突き出た構成となっている。又、レンズ内には非接触ＩＣタグ５８０を備え、そのメモリ内にはレンズ機種情報が記録されている。
【００４８】
図６（ａ）は従来の銀塩カメラ用のレンズ（フルサイズをカバーするイメージサークルを有している）装着可能なデジタルカメラ（カメラＡとする）であり、図６（ｂ）は前述の図５（ｂ）のＡＰＳ−Ｃサイズをカバーするイメージサイクルを有する専用レンズが装着可能なようにカメラ側の可動ミラーが干渉しないようなメカ構成のカメラ（カメラＢとする）である。これらカメラとレンズの装着に関する関係を図７に示す。カメラＡとレンズＢの組み合わせ時にはレンズのマウント側のメカ部材がカメラ側の可動ミラーと干渉してしまうことになる。その他の組み合わせではメカ的な干渉は発生せず問題のない組み合わせとなる。
［ステップ１−１］
カメラにレンズを装着しようとして非接触ＩＣタグ５８０とリーダライタ５８１が通信可能な範囲内となったとき、リーダライタ５８１は非接触通信を行って非接触ＩＣタグ５８０のメモリ内に記憶されているレンズ機種情報を取得する。取得した情報はカメラ制御手段５５５に送信される。
［ステップ１−２］
カメラ制御手段５５５において、取得したレンズ機種情報が不図示のカメラ側メモリ部に予め記憶されているメカ的に干渉しない装着可能レンズの情報（複数機種の情報であっても良い）と一致するか否かの判定を行う。装着可能レンズと判定されれば特に問題ない組み合わせであるので何もせず終了する。装着不可能レンズと判定されればステップ１−３へ進む。
［ステップ１−３］
装着不可能レンズであると判定されたので、直ちに、規制部材５８３を駆動回路５８４により動作させお互いを装着不可能な状態とする。又、更に注意を促すために警告音を鳴らしたり、カメラの表示部５８２に装着不可能の旨の表示を行うようにしても良い。
【００４９】
以上説明したように、レンズをカメラに装着する際に、レンズ側の非接触ＩＣタグ内に記録されたレンズ機種情報を非接触通信により取得し、装着可能なレンズか否かを判定するようにした。そして、装着不可能レンズと判定した場合には、カメラとレンズの物理的な装着を不可能にする規制部材を動作させるようにし、使用者が誤って装着しようとしても装着できないようにした。よって、未然にカメラやレンズの損傷を防ぐことができる。
【００５０】
＜実施の形態２＞
次に、本発明の実施の形態２であるレンズ交換式のデジタルカメラシステムについて説明する。
【００５１】
実施の形態１では非接触ＩＣタグのメモリ内にレンズ機種情報を記録するようにしていたが、装着可能なカメラ機種情報（複数機種の情報でも良い）を記録するようにした例である。この場合、カメラ側のメモリ内に装着可能なレンズ機種情報を予め記憶しておく必要がなくなる。カメラは、非接触ＩＣタグから取得した装着可能カメラ機種情報と一致するかのみを判定すれば良い。カメラにレンズを装着しようとしたときのカメラ側の動作について図８のフローチャートに基づいて説明する。
［ステップ２−１］
カメラにレンズを装着しようとして非接触ＩＣタグ５８０とリーダライタ５８１が通信可能な範囲内となったとき、リーダライタ５８１は非接触通信を行って非接触ＩＣタグ５８０のメモリ内に記憶されている装着可能なカメラ機種情報を取得する。取得した情報はカメラ制御手段５５５に送信される。
［ステップ２−２］
カメラ制御手段５５５において、取得した装着可能なカメラ機種情報が自らのカメラ機種情報と一致するか否かの判定を行う。カメラ情報が一致すれば装着可能レンズということになり、特に問題ない組み合わせであるので何もせず終了する。カメラ情報が一致しなければ、装着不可能レンズということになりステップ２−３へ進む。
［ステップ２−３］
装着不可能レンズであると判定されたので、直ちに、規制部材５８３を駆動回路５８４により動作させお互いを装着不可能な状態とする。又、更に注意を促す為に警告音を鳴らしたり、カメラの表示部５８２に装着不可能の旨の表示を行うようにしても良い。
【００５２】
以上説明したように、レンズをカメラに装着する際に、レンズ側の非接触ＩＣタグ内に記録された装着可能なカメラ機種情報を非接触通信により取得し、装着可能レンズか否かを判定するようにした。そして、装着不可能レンズと判定した場合には、カメラとレンズの物理的な装着を不可能にする規制部材を動作させるようにし、使用者が誤って装着しようとしても装着できないようにした。よって、未然にカメラやレンズの損傷を防ぐことができる。
【００５３】
又、実施の形態１と実施の形態２を組み合わせる、つまり非接触ＩＣタグ内にレンズ機種情報と装着可能カメラ情報の両方を記録するようにすれば、カメラとレンズの時系列の組み合わせに対しても対応可能となる。
【００５４】
＜実施の形態３＞
次に、本発明の実施の形態３であるレンズ交換式のデジタルカメラシステムについて説明する。
【００５５】
実施の形態１，２においては、カメラとレンズのメカ構成の相違による組み合わせ時のメカ部材干渉による損傷防止を目的としていた。ここでは、複数のイメージサイズのカメラと複数のイメージサークルのレンズを組み合わせる場合について考える。
【００５６】
イメージサイズが、フルサイズ、ＡＰＳ−Ｈサイズ、ＡＰＳ−Ｃサイズのカメラと、イメージサークルがフルサイズ、ＡＰＳ−Ｈサイズ、ＡＰＳ−Ｃサイズのレンズから成っており、何れのカメラ・レンズもメカ的な干渉が発生することなく装着することができるものとする。又、レンズ内には非接触ＩＣタグ５８０を備え、そのメモリ内にはレンズのイメージサークル情報が記録されている。カメラのイメージサイズよりもレンズのイメージサークルが小さい組み合わせとなる場合には、撮影画像の周辺が何も写らなくなり、けられた画像となってしまう。本実施の形態では、このような組み合わせになることを防止する。これらカメラとレンズの装着に関する関係を図１０に示す。又、カメラにレンズを装着しようとしたときのカメラ側の動作について図１１のフローチャートに基づいて説明する。
［ステップ３−１］
カメラにレンズを装着しようとして非接触ＩＣタグ５８０とリーダライタ５８１が通信可能な範囲内となったとき、リーダライタ５８１は非接触通信を行って非接触ＩＣタグ５８０のメモリ内に記憶されているレンズのイメージサークル情報を取得する。取得した情報はカメラ制御手段５５５に送信される。
［ステップ３−２］
カメラのイメージサイズがフルサイズの時はステップ３−３へ進み、又、ＡＰＳ−Ｈサイズの時はステップ３−５へ進む。ＡＰＳ−Ｃサイズの時はレンズのイメージサークルの方が等しいか大きくなるので、組み合わせて撮影しても問題は生じない。よって、何もせずに終了する。
［ステップ３−３］
この場合、カメラはフルサイズのカメラである。カメラ制御手段５５５において、取得したレンズのイメージサークル情報によりどのようなイメージサークルを有するレンズかを判定する。フルサイズのイメージサークルを有するレンズであれば、何もせず終了する。又、ＡＰＳ−Ｈサイズ、ＡＰＳ−Ｃサイズのイメージサークルを有するレンズの場合には撮影画像がけられてしまうので装着不可能レンズと判定し、ステップ３−４へ進む。
［ステップ３−４］
装着不可能レンズであると判定されたので、直ちに、規制部材５８３を駆動回路５８４により動作させお互いを装着不可能な状態とする。又、更に注意を促すために警告音を鳴らしたり、カメラの表示部５８２に装着不可能の旨の表示を行うようにしても良い。
［ステップ３−５］
この場合、カメラはＡＰＳ−Ｈサイズのカメラである。カメラ制御手段５５５において、取得したレンズのイメージサークル情報によりどのようなイメージサークルを有するレンズかを判定する。フルサイズ又はＡＰＳ−Ｈサイズのイメージサークルを有するレンズであれば、何もせず終了する。又、ＡＰＳ−Ｃサイズのイメージサークルを有するレンズの場合には撮影画像がけられてしまうので装着不可能レンズと判定し、ステップ３−４へ進む。
【００５７】
以上説明したように、レンズをカメラに装着する際に、レンズ側の非接触ＩＣタグ内に記録されたレンズのイメージサークル情報を非接触通信により取得し、装着可能レンズか否かを判定するようにした。そして、装着不可能レンズと判定した場合には、カメラとレンズの物理的な装着を不可能にする規制部材を動作させるようにし、使用者が装着しようとしても装着できないようにした。よって、撮影したときに周辺部に何も写らない、けられた撮影画像となってしまうことを防止できる。
【図面の簡単な説明】
【００５８】
【図１】本発明の実施の形態１のレンズ交換式デジタル一眼レフカメラシステムのブロック図である。
【図２】本発明の実施の形態１における非接触ＩＣタグの構成図である。
【図３】本発明の実施の形態１におけるリーダライタの構成図である。
【図４】本発明の実施の形態１におけるカメラの動作を示すフローチャートである。
【図５】本発明の実施の形態１におけるレンズの種類を示す概略図である。
【図６】本発明の実施の形態１におけるカメラの種類を示す概略図である。
【図７】本発明のの実施の形態１における規制部材の概略図である。
【図８】本発明の実施の形態１におけるカメラとレンズの組み合わせ時の装着可否を示す表である。
【図９】本発明の実施の形態２におけるカメラの動作を示すフローチャートである。
【図１０】本発明の実施の形態３におけるカメラとレンズの組み合わせ時の装着可否を示す表である。
【図１１】本発明の実施の形態３におけるカメラの動作を示すフローチャートである。
【符号の説明】
【００５９】
５１０      交換レンズ
５１１〜５１４  レンズ
５１５      絞り機構
５１７          ズームエンコーダ
５１８      フォーカスエンコーダ
５２０        絞りエンコーダ
５２１      レンズ制御回路
５２４          ズーム駆動回路
５２６      フォーカス駆動回路
５２８        絞り駆動回路
５３０      レンズスイッチ入力回路
５３１      不揮発性メモリ
５４０      カメラボディ
５４１          可動ミラー
５４２      サブミラー
５４３          セパレータ光学系
５４４      ラインセンサ
５４８          ファインダ接眼光学系
５５０      シャッタ
５５１          光学的ローパスフィルタ
５５２      撮像素子
５５５          カメラ制御回路
５５６      ミラー駆動回路
５５７          ラインセンサ駆動回路
５５８      シャッタ駆動回路
５５９          測光センサ駆動回路
５６１      シャッタ検知回路
５６２          画像処理回路
５６３      ストロボ回路
５６４          スイッチ入力回路
５６８      電源
５８０          非接触ＩＣタグ
５８１      リーダライタ
５８２          表示部
５８３      規制部材
５８４          規制部材駆動回路
【図１】
2006067332.tif 000003
【図２】
2006067332.tif 000004
【図３】
2006067332.tif 000005
【図４】
2006067332.tif 000006
【図５】
2006067332.tif 000007
【図６】
2006067332.tif 000008
【図７】
2006067332.tif 000009
【図８】
2006067332.tif 000010
【図９】
2006067332.tif 000011
【図１０】
2006067332.tif 000012
【図１１】
2006067332.tif 000013